(57)【特許請求の範囲】
【請求項１】
ドリンク容器（３）を収納する収納体（４）と、被取付部材に取り付けられる取付体（６）とを備え、収納体（４）は取付体（６）に横軸（Ａ）廻りに回転自在に支持され、収納体（４）の横軸（Ａ）廻りの外周に、互いに大きさが異なる第１開口部（１５）と第２開口部（１６）とが設けられ、第１開口部（１５）が上端に位置する第１収納姿勢（Ｘ）と第２開口部（１６）が上端に位置する第２収納姿勢（Ｙ）とで収納体（４）の横軸（Ａ）廻りの回転をロックする回転ロック機構（４９）が取付体（６）と収納体（４）との間に設けられ、
収納体（４）はその一側壁に設けた開口孔（２３）を介して取付体（６）の基部に前記横軸（Ａ）廻りに回転自在に外嵌支持され、
前記回転ロック機構（４９）は、収納体（４）に前記開口孔（２３）にそれぞれ連通しかつ横軸（Ａ）廻りに互いに離間して設けられた第１係止凹部（２５）と第２係止凹部（２６）とを備えると共に、取付体（６）に開口孔（２３）から第１係止凹部（２５）又は第２係止凹部（２６）に向けて出退移動自在に設けられた係合片（５１）を備え、
収納体（４）を第１収納姿勢（Ｘ）に回動したときに係合片（５１）が第１係止凹部（２５）に係脱自在に係合して収納体（４）を第１収納姿勢（Ｘ）にロックし、収納体（４）を第２収納姿勢（Ｙ）に回動したときに係合片（５１）が第２係止凹部（２６）に係脱自在に係合して収納体（４）を第２収納姿勢（Ｙ）にロックするように構成されていることを特徴とするドリンクホルダー。
【請求項２】
ドリンク容器（３）を収納する収納体（４）と、被取付部材に取り付けられる取付体（６）とを備え、収納体（４）は取付体（６）に横軸（Ａ）廻りに回転自在に支持され、収納体（４）の横軸（Ａ）廻りの外周に、互いに大きさが異なる第１開口部（１５）と第２開口部（１６）とが設けられ、第１開口部（１５）が上端に位置する第１収納姿勢（Ｘ）と第２開口部（１６）が上端に位置する第２収納姿勢（Ｙ）とで収納体（４）の横軸（Ａ）廻りの回転をロックする回転ロック機構（４９）が取付体（６）と収納体（４）との間に設けられ、
収納体（４）はその一側壁に設けた開口孔（２３）を介して取付体（６）の基部に前記横軸（Ａ）廻りに回転自在に外嵌支持され、
前記回転ロック機構（４９）は、収納体（４）に前記開口孔（２３）にそれぞれ連通し
かつ横軸（Ａ）廻りに９０度よりも小さい小角度をおいて連続状に設けられた複数の係止凹部（６９）を備えると共に、取付体（６）に開口孔（２３）から係止凹部（６９）に向けて出退移動自在に設けられた係合片（５１）を備え、
収納体（４）を取付体（６）に対して横軸（Ａ）廻りに前記小角度ごとに回動したそれぞれの回動位置で、複数の係止凹部（６９）のうちの１つに係合片（５１）が係脱自在に係合することによりロック可能とされていることを特徴とするドリンクホルダー。
【請求項３】
収納体（４）は、対向する四角板形状の第１側壁（９）と第２側壁（１０）とを備えると共に、第１側壁（９）と第２側壁（１０）との対向する３つの外周縁部間を連結する四角板形状の第１外周側壁（１１）と第２外周側壁（１２）と第３外周側壁（１３）とを前記横軸（Ａ）廻りに備え、第１側壁（９）と第２側壁（１０）との対向する残りの外周縁部間は開口されて第１開口部（１５）とされ、３つの外周側壁のうちの第１開口部（１５）に隣り合う１つの外周側壁に第１開口部（１５）よりも小さい第２開口部（１６）が形成され、第１側壁（９）の中央部に前記開口孔（２３）が形成されていることを特徴とする請求項１又は２に記載のドリンクホルダー。
【請求項４】
前記開口孔（２３）が円形に形成され、この円形の開口孔（２３）の開口縁部を取付体（６）の基部との間で挟持する挟持体（３６）が具備され、取付体（６）の基部に、開口孔（２３）の開口縁部の外面側に配置される鍔部（４１）と、開口孔（２３）の開口縁部に内嵌する嵌合凸部（４２）とが設けられ、挟持体（３６）は、収納体（４）の内方側から開口孔（２３）を通して取付体（６）の基部側に突出されて取付体（６）の基部に連結固定される連結軸部（３８）と、収納体（４）の内方側で連結軸部（３８）から開口孔（２３）の開口縁部の内面側に向けて径外方向に広がった挟持環（３９）とを有し、連結軸部（３８）を取付体（６）の基部に固定具（４７）で締め付け固定することにより取付体（６）の鍔部（４１）と挟持体（３６）の挟持環（３９）とで開口孔（２３）の開口縁部を収納体（４）の内外から挟持して、収納体（４）を取付体（６）に開口孔（２３）の中心を通る前記横軸（Ａ）廻りに回転自在に支持するようにしたことを特徴とする請求項１〜３のいずれか１項に記載のドリンクホルダー。
【請求項５】
収納体（４）に収納したドリンク容器（３）を対向する収納体（４）の側壁に向けて押圧するガタ付き防止体（５３）が収納体（４）に設けられていることを特徴とする請求項１〜４のいずれか１項に記載のドリンクホルダー。
【請求項６】
取付体（６）の先端側に、Ｃ字形をなす嵌合凹部（２８）を形成して二股に分かれた一対の挟持片（２９，３０）が設けられ、この一対の挟持片（２９，３０）の嵌合凹部（２８）を自転車のハンドルバー（３２）に外嵌させた状態で一対の挟持片（２９，３０）の端部同士を締結具（３４）で締め付けることにより、自転車のハンドルバー（３２）を被取付部材としてここに取付体（６）の先端側を締め付け固定するようにしたことを特徴とする請求項１〜５のいずれか１項に記載のドリンクホルダー。
【発明の詳細な説明】
【技術分野】
【０００１】
本発明は、ドリンク容器を収納保持するドリンクホルダーに関するものである。
【背景技術】
【０００２】
従来のドリンクホルダーには、上端が開口した収納体と、収納体の上部に突設された係
止体と、収納体の下部に突設された姿勢保持体とを備え、係止体を自転車のハンドルアームに上から引っ掛けて係止すると共に、姿勢保持体を自転車のハンドルステムに係合して収納カップの姿勢を一定に保持するようにしたものがある（例えば引用文献１）。
また、他の従来のドリンクホルダーには、飲料容器を保持する収納体と、収納体に連結された係止体とを備え、係止体を自転車のハンドル等の被係止部材に係止して取り付けるようにしたものがある（例えば引用文献２）。
【先行技術文献】
【特許文献】
【０００３】
【特許文献１】実用新案登録第３０６７７６２号公報
【特許文献２】特開２００４−３２３０５９号公報
【発明の概要】
【発明が解決しようとする課題】
【０００４】
しかし、従来の場合、収納体の上端開口の大きさは多少拡縮できるものの略一定であるため、収納体に収納できるドリンク容器の大きさが限定されてしまい、例えば１０００ｍｌ用又は５００ｍｌ用のドリンク容器は収納体に収納保持することができるが、２００ｍｌ用の紙パック製等のドリンク容器を収納保持することができないというように、大きさが大きく異なる２種類のドリンク容器を収納保持することができず、汎用性に欠けて不便であるという問題があった。
【０００５】
本発明は上記問題点に鑑み、大きさが大きく異なる２種類のドリンク容器を収納保持することができるドリンクホルダーを提供することを目的としている。
【課題を解決するための手段】
【０００６】
本発明における課題解決のための具体的手段は、次の通りである。
この技術的課題を解決する本発明の技術的手段は、ドリンク容器３を収納する収納体４と、被取付部材に取り付けられる取付体６とを備え、収納体４は取付体６に横軸Ａ廻りに回転自在に支持され、収納体４の横軸Ａ廻りの外周に、互いに大きさが異なる第１開口部１５と第２開口部１６とが設けられ、第１開口部１５が上端に位置する第１収納姿勢Ｘと第２開口部１６が上端に位置する第２収納姿勢Ｙとで収納体４の横軸Ａ廻りの回転をロックする回転ロック機構４９が取付体６と収納体４との間に設けられ、
収納体４はその一側壁に設けた開口孔２３を介して取付体６の基部に前記横軸Ａ廻りに回転自在に外嵌支持され、
前記回転ロック機構４９は、収納体４に前記開口孔２３にそれぞれ連通しかつ横軸Ａ廻りに互いに離間して設けられた第１係止凹部２５と第２係止凹部２６とを備えると共に、取付体６に開口孔２３から第１係止凹部２５又は第２係止凹部２６に向けて出退移動自在に設けられた係合片５１を備え、
収納体４を第１収納姿勢Ｘに回動したときに係合片５１が第１係止凹部２５に係脱自在に係合して収納体４を第１収納姿勢Ｘにロックし、収納体４を第２収納姿勢Ｙに回動したときに係合片５１が第２係止凹部２６に係脱自在に係合して収納体４を第２収納姿勢Ｙにロックするように構成されている点にある。
【０００７】
また、本発明の他の技術的手段は、ドリンク容器３を収納する収納体４と、被取付部材に取り付けられる取付体６とを備え、収納体４は取付体６に横軸Ａ廻りに回転自在に支持され、収納体４の横軸Ａ廻りの外周に、互いに大きさが異なる第１開口部１５と第２開口部１６とが設けられ、第１開口部１５が上端に位置する第１収納姿勢Ｘと第２開口部１６が上端に位置する第２収納姿勢Ｙとで収納体４の横軸Ａ廻りの回転をロックする回転ロック機構４９が取付体６と収納体４との間に設けられ、
収納体４はその一側壁に設けた開口孔２３を介して取付体６の基部に前記横軸Ａ廻りに回転自在に外嵌支持され、
前記回転ロック機構４９は、収納体４に前記開口孔２３にそれぞれ連通しかつ横軸Ａ廻りに９０度よりも小さい小角度をおいて連続状に設けられた複数の係止凹部６９を備えると共に、取付体６に開口孔２３から係止凹部６９に向けて出退移動自在に設けられた係合片５１を備え、
収納体４を取付体６に対して横軸Ａ廻りに前記小角度ごとに回動したそれぞれの回動位置で、複数の係止凹部６９のうちの１つに係合片５１が係脱自在に係合することによりロック可能とされている点にある。
【０００８】
また、本発明の他の技術的手段は、収納体４は、対向する四角板形状の第１側壁９と第２側壁１０とを備えると共に、第１側壁９と第２側壁１０との対向する３つの外周縁部間を連結する四角板形状の第１外周側壁１１と第２外周側壁１２と第３外周側壁１３とを前記横軸Ａ廻りに備え、第１側壁９と第２側壁１０との対向する残りの外周縁部間は開口されて第１開口部１５とされ、３つの外周側壁のうちの第１開口部１５に隣り合う１つの外周側壁に第１開口部１５よりも小さい第２開口部１６が形成され、第１側壁９の中央部に前記開口孔２３が形成されている点にある。
【０００９】
また、本発明の他の技術的手段は、前記開口孔２３が円形に形成され、この円形の開口孔２３の開口縁部を取付体６の基部との間で挟持する挟持体３６が具備され、取付体６の基部に、開口孔２３の開口縁部の外面側に配置される鍔部４１と、開口孔２３の開口縁部に内嵌する嵌合凸部４２とが設けられ、挟持体３６は、収納体４の内方側から開口孔２３を通して取付体６の基部側に突出されて取付体６の基部に連結固定される連結軸部３８と、収納体４の内方側で連結軸部３８から開口孔２３の開口縁部の内面側に向けて径外方向に広がった挟持環３９とを有し、連結軸部３８を取付体６の基部に固定具４７で締め付け固定することにより取付体６の鍔部４１と挟持体３６の挟持環３９とで開口孔２３の開口縁部を収納体４の内外から挟持して、収納体４を取付体６に開口孔２３の中心を通る前記横軸Ａ廻りに回転自在に支持するようにした点にある。
【００１０】
また、本発明の他の技術的手段は、収納体４に収納したドリンク容器３を対向する収納体４の側壁に向けて押圧するガタ付き防止体５３が収納体４に設けられている点にある。
また、本発明の他の技術的手段は、取付体６の先端側に、Ｃ字形をなす嵌合凹部２８を形成して二股に分かれた一対の挟持片２９，３０が設けられ、この一対の挟持片２９，３０の嵌合凹部２８を自転車のハンドルバー３２に外嵌させた状態で一対の挟持片２９，３０の端部同士を締結具３４で締め付けることにより、自転車のハンドルバー３２を被取付部材としてここに取付体６の先端側を締め付け固定するようにした点にある。
【発明の効果】
【００１１】
本発明によれば、第１開口部が上端に位置する第１収納姿勢と第２開口部が上端に位置する第２収納姿勢とに姿勢変更することによって、第１開口部から収納体に収納保持することが可能なドリンク容器と、第２開口部から収納体に収納保持することが可能なドリンク容器との、大きさが大きく異なる２種類のドリンク容器を収納体に収納保持することが可能になり、便利である。
【図面の簡単な説明】
【００１２】
【図１】本発明の第１実施形態を示す第１収納姿勢にした状態のドリンクホルダーの斜視図である。
【図２】同第２収納姿勢にした状態のドリンクホルダーの斜視図である。
【図３】同ドリンクホルダーの平面図である。
【図４】同図３のＡ−Ａ線断面図である。
【図５】同ドリンクホルダーの背面図である。
【図６】同図３のＢ−Ｂ線断面図である。
【図７】同図３のＣ−Ｃ線断面図である。
【図８】同ガタ付き防止体の平面図である。
【図９】同図８のＤ−Ｄ線断面図である。
【図１０】同ガタ付き防止体の底面図である。
【図１１】同収納体の背面図である。
【図１２】同取付体を示し、（ａ）はその平面図、（ｂ）はその側面図、（ｃ）はその正面図である。
【図１３】第２実施形態を示すドリンクホルダーの背面図である。
【図１４】同収納体の背面図である。
【図１５】同取付体を示し、（ａ）はその平面図、（ｂ）はその側面図、（ｃ）はその正面図である。
【発明を実施するための形態】
【００１３】
以下、本発明の実施の形態を図面に基づいて説明する。
図１〜図１０は本発明の第１実施形態を示している。図１〜図６において、ドリンクホルダー１は、ドリンク容器３を収納する収納体４と、被取付部材に取り付けられる取付体６とを備える。収納体４と取付体６とはそれぞれ合成樹脂により一体に成形され、収納体４は取付体６に横軸Ａ廻りに回転自在に支持されている。
【００１４】
収納体４は、前後に対向する四角板形状の第１側壁（後側壁）９と第２側壁（前側壁）１０とを備えると共に、第１側壁９と第２側壁１０との対向する３つの外周縁部間を連結する四角板形状の第１外周側壁１１と第２外周側壁１２と第３外周側壁１３とを前記横軸Ａ廻りに備えている。
第１側壁９と第２側壁１０との対向する残りの外周縁部間は開口されて四角形状の第１開口部１５とされ、３つの外周側壁のうちの第１開口部１５に隣り合う１つの外周側壁１１に第１開口部１５よりも小さい四角形状の第２開口部１６が形成されている。
【００１５】
第１開口部１５に対向する第２外周側壁１２は、段部１８を介して階段状に窄まっており、第１開口部１５が上端に位置したとき（収納体４が後述する第１収納姿勢Ｘになったとき）の容器載置部とされ、ここに多数の水抜き孔２０が形成されている。第１外周側壁１１（第２開口部１６）に対向する第３外周側壁１３は、第２開口部１６が上端に位置したとき（収納体４が後述する第２収納姿勢Ｙになったとき）の容器載置部とされ、ここに多数の水抜き孔２１が形成されている。
【００１６】
図１１にも示すように、第１側壁９の中央部に、円形の開口孔２３が形成されると共に、開口孔２３にそれぞれ連通しかつ横軸Ａ廻りに互いに離間した第１係止凹部２５と第２係止凹部２６とが形成されている。
取付体６は円筒状の取付筒２７を備え、取付筒２７（取付体６）の先端側に、Ｃ字形をなす嵌合凹部２８を形成して二股に分かれた一対の挟持片２９，３０が設けられ、この一対の挟持片２９，３０の嵌合凹部２８を自転車のハンドルバー３２に外嵌させた状態で一対の挟持片２９，３０の端部同士をボルトナット等の締結具３４で締め付けることにより、自転車のハンドルバー３２を被取付部材としてここに取付体６の先端側を締め付け固定するようにしている。
【００１７】
取付体６の基部側に、第１側壁９の開口孔２３の開口縁部を取付体６の基部との間で挟持する挟持体３６が具備されている。この挟持体３６は、収納体４の内方側から開口孔２３を通して取付体６の基部側に突出されて取付体６の基部に連結固定される連結軸部３８と、収納体４の内方側で連結軸部３８から開口孔２３の開口縁部の内面側に向けて径外方向に広がった挟持環３９とを有している。
【００１８】
図１２にも示すように、取付体６の基部に、開口孔２３の開口縁部の外面側に配置される鍔部４１と、開口孔２３の開口縁部に内嵌する嵌合凸部４２とが設けられている。
挟持体３６の連結軸部３８に設けた嵌合突部４４を取付体６の基部に設けた嵌合没部４５に嵌合させて、挟持体３６の連結軸部３８を取付体６の基部にボルトナット等の固定具４７で締め付け固定することにより、挟持体３６は取付体６に対して相対回転不能に固定され、取付体６の鍔部４１と挟持体３６の挟持環３９とで開口孔２３の開口縁部を収納体４の内外から挟持して、収納体４を取付体６に開口孔２３の中心を通る横軸Ａ廻りに回転自在に支持している。
【００１９】
而して、収納体４はその一側壁９に設けた開口孔２３を介して取付体６の基部に横軸Ａ廻りに回転自在に外嵌支持され、収納体４の横軸Ａ廻りの外周に、互いに大きさが異なる第１開口部１５と第２開口部１６とが設けられている。
第１開口部１５が上端に位置する第１収納姿勢Ｘと第２開口部１６が上端に位置する第２収納姿勢Ｙとで収納体４の横軸Ａ廻りの回転をロックする回転ロック機構４９が取付体６と収納体４との間に設けられている。
【００２０】
回転ロック機構４９は、収納体４に設けられた第１係止凹部２５と第２係止凹部２６と
を備えると共に、取付体６に開口孔２３から第１係止凹部２５又は第２係止凹部２６に向けて出退移動自在に設けられた係合片５１を備え、収納体４を第１収納姿勢Ｘに回動したときに係合片５１が第１係止凹部２５に係脱自在に係合して収納体４を第１収納姿勢Ｘにロックし、収納体４を第２収納姿勢Ｙに回動したときに係合片５１が第２係止凹部２６に係脱自在に係合して収納体４を第２収納姿勢Ｙにロックするように構成されている。
【００２１】
図１２にも示すように、係合片５１は取付筒２７（取付体６の基部）の上部側に左右一対のスリット５２を介して設けられ、係合片５１の後端側が取付体６の上側（一方）の挟持片２９の前部に一体に連結されており、一対の挟持片２９，３０の端部同士を締結具３４で締め付けることにより、係合片５１の前部側が取付体６の径外方向（上方向）に広がって第１係止凹部２５又は第２係止凹部２６に強く係合するようになっている。この第１実施形態の場合、係合片５１はその後端側から前端側に亘って左右幅が一定に形成されている。
【００２２】
収納体４に収納したドリンク容器３を対向する収納体４の第１側壁９に向けて押圧するガタ付き防止体５３が収納体４に設けられている。
第２側壁１０の第１開口部１５の開口縁部側に、ガタ付き防止体５３を支持する階段状の支持壁部５５が設けられている。支持壁部５５は、水平状に前方突出した水平壁５６と、水平壁５６の前端部から上方に突出した起立壁５７と、起立壁５７及び水平壁５６に連結された左右一対の支持壁５８とを有し、図７にも示すように、左右支持壁５８に、挿通孔５９が左右貫通状に形成されている。
【００２３】
図８及び図１０にも示すように、ガタ付き防止体５３の前部の左右両側に左右一対の支持軸６１が左右方向外方に突出され、左右一対の支持軸６１が前記左右支持壁５８の挿通孔５９に挿通されて、ガタ付き防止体５３が支持軸６１廻りに回動自在に支持されている。
水平壁５６の後端部の一対の支持壁５８間にストッパ６３が上方突設されており、ガタ付き防止体５３が第１側壁９に向けて水平状に突出する状態で、ストッパ６３に上側から接当して止まるようになっている。
【００２４】
起立壁５７の後面に膨出部６５が後方突設されており、ガタ付き防止体５３が第１側壁９に向けて前上がりに４５度程度の角度で突出した状態からストッパ６３に接当して水平状に突出するまでの間に、ガタ付き防止体５３の前端部と膨出部６５とが押圧接当し合って弾性変形し、これらガタ付き防止体５３の前端部と膨出部６５との弾性変形の復元力によって、ガタ付き防止体５３が第１側壁９に向けて前上がりに４５度程度の角度で突出した状態からストッパ６３に接当して水平状に突出するまでの間にわたって支持軸６１廻りに下方に向けて（図４に示す矢印ａ方向に）付勢されるようになっている。
【００２５】
図８〜図１０にも示すように、ガタ付き防止体５３の前部に、複数の前後方向のスリット６６が左右方向に複数個形成されており、これにより、ガタ付き防止体５３の前部が弾性変形により左右方向に縮小できるように構成され、ガタ付き防止体５３の前部を左右方向に縮小させた状態で一対の支持壁５８間に挿入して、一対の支持軸６１を挿通孔５９に簡単に挿入保持できるようになっている。
【００２６】
上記第１実施形態によれば、ドリンク容器３を持って自転車に乗る場合、一対の挟持片２９，３０の嵌合凹部２８を自転車のハンドルバー３２に外嵌させた状態で一対の挟持片２９，３０の端部同士を締結具３４で締め付けることにより、取付体６が自転車のハンドルバー３２に締め付け固定され、自転車のハンドルバー３２の前方に収納体４が取り付けられるので、この収納体４にドリンク容器３を収納すればよい。
【００２７】
このとき、ドリンク容器３が１０００ｍｌ用又は５００ｍｌ用の大きな紙パック又はペットボトルであれば、収納体４を第１収納姿勢Ｘにロックすればよい。この場合の手順は、係合片５１を押圧して開口孔２３内に後退させ、その後に収納体４を取付体６に対して横軸Ａ廻りに回転させ、第１開口部１５が上端に位置する第１収納姿勢Ｘにした後に、係合片５１の押圧を解除すればよく、係合片５１が第１係止凹部２５に係脱自在に係合して収納体４が第１収納姿勢Ｘにロックされる。
【００２８】
その後に、ガタ付き防止体５３を支持軸６１廻りに回動して上向きに突出させた後、図
４に示すように大きなドリンク容器３を第１開口部１５から収納体４内に収納する。次に、ガタ付き防止体５３を支持軸６１廻りに回動して、ガタ付き防止体５３を第１側壁９に向けて前上がりに４５度程度の角度にセットすればよく、このとき、ガタ付き防止体５３が収納体４に収納したドリンク容器３を対向する収納体４の第１側壁９に向けて押圧し、収納体４に収納したドリンク容器３がガタ付くのを防止する。
【００２９】
他方、ドリンク容器３が２００ｍｌ用の小さな紙パック等であれば、収納体４を第２収納姿勢Ｙにロックすればよい。この場合の手順は、係合片５１を押圧して開口孔２３内に後退させ、その後に収納体４を取付体６に対して横軸Ａ廻りに回転させ、第２開口部１６が上端に位置する第２収納姿勢Ｙにした後に、係合片５１の押圧を解除すればよく、係合片５１が第２係止凹部２６に係脱自在に係合して収納体４が第２収納姿勢Ｙにロックされる。
【００３０】
その後に、図２に示すように小さなドリンク容器３を第２開口部１６から収納体４内に収納すると、収納体４に小さなドリンク容器３が大きくガタ付かないように確実に収納保持される。
従って、第１開口部１５が上端に位置する第１収納姿勢Ｘと第２開口部１６が上端に位置する第２収納姿勢Ｙとに姿勢変更することによって、第１開口部１５から収納体４に収納保持することが可能な大きなドリンク容器３と、第２開口部１６から収納体４に収納保持することが可能な小さなドリンク容器３との、大きさが大きく異なる２種類のドリンク容器３をそれぞれ良好に収納保持することが可能になり、ドリンクホルダー１の汎用性が大となり便利である。
【００３１】
そして、第１収納姿勢Ｘでドリンク容器３を収納したときに、ドリンク容器３が冷たくて水滴が生じた場合、その水滴を第２外周側壁１２の多数の水抜き孔２０から下方に排出することができる。また、第２収納姿勢Ｙでドリンク容器３を収納したときに、ドリンク容器３が冷たくて水滴が生じた場合、その水滴を第３外周側壁１３の多数の水抜き孔２１から下方に排出することができる。
【００３２】
図１３〜図１５は第２実施形態を示している。図１３〜図１５において、回転ロック機構４９は、収納体４に設けられた複数の係止凹部６９を備えると共に、取付体６に開口孔２３から係止凹部６９に向けて出退移動自在に設けられた係合片５１を備えている。
複数の係止凹部６９は、開口孔２３にそれぞれ連通しかつ横軸Ａ廻りに９０度よりも小さい小角度をおいて第１側壁９の中央部に連続状に設けられており、収納体４を横軸Ａ廻りに前記小角度ごとに回動したそれぞれの回動位置で、複数の係止凹部６９のうちの１つに係合片５１が係脱自在に係合することによってロック可能とされている。
【００３３】
図例では、複数の係止凹部６９は、第１側壁９の中央部に横軸Ａ廻りに３０度ずつの小角度をおいて連続状に９個設けられ、横軸Ａ廻りに（下側の１２０度の角度を除いて）２４０度の角度に亘っており、収納体４を横軸Ａ廻りに３０度の角度ごとに回動した９箇所の回動位置でロック可能とされている。
また、係合片５１はその前端部の係止凹部６９に係合する係合部分５１ａが、係合片５１の後端側よりも、複数の係止凹部６９に対応して左右小幅に形成され、これにより、係合片５１の係合部分５１ａが（前記第１実施形態の第１係止凹部２５及び第２係止凹部２６よりも）小幅に形成された複数の係止凹部６９に係脱自在に係合可能とされている。
【００３４】
而して、自転車のハンドルバー３２等の被取付部材が水平方向に対して傾斜している等の理由から、係合片５１が上方を向いた正規の取付状態よりも、取付体６が横軸Ａ廻りに傾いた状態で被取付部材に取り付けられた場合でも、その横軸Ａ廻りに傾斜した角度分だけ、複数の係止凹部６９のうちの上部に位置する係止凹部６９ａ又は右側方に位置する係止凹部６９ｂから横軸Ａ廻りにずれた位置の係止凹部６９に係合片５１を係合させることにより、第１開口部１５が上端に位置する第１収納姿勢Ｘと第２開口部１６が上端に位置する第２収納姿勢Ｙとに、収納体４を横軸Ａ廻りに回転不能にロックできるように構成されている。
【００３５】
その他の点は、前記第１実施形態の場合と同様の構成である。
上記第２実施形態によれば、図１３に２点鎖線で示すように、被取付部材である自転車
のハンドルバー３２が水平方向に対して傾斜している場合、一対の挟持片２９，３０の嵌合凹部２８を自転車のハンドルバー３２に外嵌させた状態で一対の挟持片２９，３０の端部同士を締結具３４で締め付けることにより、取付体６が自転車のハンドルバー３２に締め付け固定され、取付体６が係合片５１が上方を向いた正規の取付状態よりも、取付体６が横軸Ａ廻りに角度θだけ傾いた状態になる。
【００３６】
この際に、複数の係止凹部６９のうちの上部に位置する係止凹部６９ａ又は右側方に位置する係止凹部６９ｂに係合片５１を係合させておけば、図１３に２点鎖線で示す如く第１開口部１５が上端に位置する第１収納姿勢Ｘから横軸Ａ廻りに角度θだけ傾いた状態で収納体４をロックし、又は第２開口部１６が上端に位置する第２収納姿勢Ｙから横軸Ａ廻りに角度θだけ傾いた状態で収納体４をロックすることとなる。
【００３７】
しかし、複数の係止凹部６９のうちの上部に位置する係止凹部６９ａから、取付体６が横軸Ａ廻りに傾いた角度θ分だけ、横軸Ａ廻りにずれた位置の係止凹部６９に係合片５１を係合させることにより、図１３に実線で示す如く、収納体４を第１開口部１５が上端に位置する第１収納姿勢Ｘにロックすることができる。
また、複数の係止凹部６９のうちの右側方に位置する係止凹部６９ｂから、取付体６が横軸Ａ廻りに傾いた角度θ分だけ、横軸Ａ廻りにずれた位置の係止凹部６９に係合片５１を係合させることにより、第２開口部１６が上端に位置する第２収納姿勢Ｙに収納体４をロックすることができる。
【００３８】
従って、自転車のハンドルバー３２等の被取付部材が水平方向に対して傾斜している等の理由から、係合片５１が上方を向いた状態（正規の取付状態）よりも取付体６が横軸Ａ廻りに傾いた状態で取り付けられた場合でも、第１開口部１５が上端に位置する第１収納姿勢Ｘと第２開口部１６が上端に位置する第２収納姿勢Ｙとに姿勢変更することができるようになり、この姿勢変更によって、第１開口部１５から収納体４に収納保持することが可能な大きなドリンク容器３と、第２開口部１６から収納体４に収納保持することが可能な小さなドリンク容器３との、大きさが大きく異なる２種類のドリンク容器３をそれぞれ良好に収納保持することが可能になり、ドリンクホルダー１の汎用性が大となり便利である。
【００３９】
前記実施形態では、収納体４の横軸Ａ廻りの外周に、互いに大きさが異なる第１開口部１５と第２開口部１６との２つの開口部が設けられているが、これに代え、収納体４の横軸Ａ廻りの外周に、互いに大きさが異なる３つ以上の開口部を設けるようにしてもよい。例えば、収納体４を６個の外周側壁を有する六角形の筒状に形成して、６個の外周側壁のうちの３個の外周側壁にそれぞれ第１開口部、第２開口部又は第３開口部を設けるようにしてもよい。
【００４０】
また、第１開口部１５及び第２開口部１６の形状は四角形状に限らず、円形、楕円形その他の形状であってもよい。
また、前記実施形態では、自転車のハンドルバー３２を被取付部材としてここに取付体６の先端側を締め付け固定するようにしているが、取付体６が取り付けられる被取付部材はハンドルバー３２に限定されず、自転車のフレームやベビーカーのフレームその他であってもよい。
【符号の説明】
【００４１】
１      ドリンクホルダー
３      ドリンク容器
４      収納体
６      取付体
９      第１側壁
１０    第２側壁
１１    第１外周側壁
１２    第２外周側壁
１３    第３外周側壁
１５    第１開口部
１６    第２開口部
２３    開口孔
２５    第１係止凹部
２６    第２係止凹部
２８    嵌合凹部
２９    挟持片
３０    挟持片
３６    挟持体
３８    連結軸部
３９    挟持環
４１    鍔部
４２    嵌合凸部
４７    固定具
４９    回転ロック機構
５１    係合片
５３    ガタ付き防止体
６９    係止凹部
【図１】
0005798975.tif 000002
【図２】
0005798975.tif 000003
【図３】
0005798975.tif 000004
【図４】
0005798975.tif 000005
【図５】
0005798975.tif 000006
【図６】
0005798975.tif 000007
【図７】
0005798975.tif 000008
【図８】
0005798975.tif 000009
【図９】
0005798975.tif 000010
【図１０】
0005798975.tif 000011
【図１１】
0005798975.tif 000012
【図１２】
0005798975.tif 000013
【図１３】
0005798975.tif 000014
【図１４】
0005798975.tif 000015
【図１５】
0005798975.tif 000016